(57)【特許請求の範囲】
【請求項１】
非水溶性材料により粒状に形成される本体部と、
該本体部に設けられ、水溶性樹脂で形成された複数の溶着性ビーズ玩具が係合するための凹状係合部と、
を有し、
前記凹状係合部は、環状に形成される、
ことを特徴とする装飾ビーズ玩具。
【請求項２】
前記本体部及び前記凹状係合部は、多面状に形成されることを特徴とする請求項１に記載の装飾ビーズ玩具。
【請求項３】
前記本体部は非水溶性樹脂により形成され、
前記本体部及び前記凹状係合部は、樹脂メッキが施されていることを特徴とする請求項１又は請求項２に記載の装飾ビーズ玩具。
【請求項４】
前記本体部は、短軸を回転軸とする回転楕円体に形成され、
前記凹状係合部は、回転楕円体に形成される前記本体部の赤道半径周りに設けられる、
ことを特徴とする請求項１乃至請求項３の何れか記載の装飾ビーズ玩具。
【請求項５】
請求項１乃至請求項４の何れか記載の装飾ビーズ玩具と、
水溶性樹脂で形成された溶着性ビーズ玩具と、
前記装飾ビーズ玩具及び前記溶着性ビーズ玩具が載置される複数の凹部を備える保持トレイと、
を有することを特徴とするビーズ玩具セット。
【発明の詳細な説明】
【技術分野】
【０００１】
本発明は、水溶性樹脂で形成された溶着性ビーズ玩具と共に使用される装飾ビーズ玩具と、この装飾ビーズを備えるビーズ玩具セットに関する。
【背景技術】
【０００２】
従来から、水溶性樹脂で形成された種々の形状の溶着性ビーズ玩具が提供されている。例えば、特許文献１に記載されるビーズ玩具セットでは、水溶性樹脂で形成された真球形状の溶着性ビーズが開示されている。また、特許文献２には、水溶性樹脂で形成された透明な多面体形状の溶着性ビーズ玩具が開示されている。
【０００３】
これらの溶着性ビーズ玩具は、例えば、以下のように遊ぶことができる。先ず、凹部が形成された保持トレイに、任意の絵柄となるよう複数色用意された溶着性ビーズ玩具を載置する。このとき、溶着性ビーズ玩具は、相互に接触している。溶着性ビーズ玩具を保持トレイに載置した後、溶着性ビーズ玩具に霧吹き等で水を掛けると、溶着性ビーズ玩具が湿潤状態となる。すると、溶着性ビーズ玩具は融解し、接触している溶着性ビーズ玩具同士が接続される。そして、そのまま乾燥させると、溶着性ビーズ玩具が相互に接続された状態で硬化する。または、これらの溶着性ビーズ玩具を積層させて硬化させることもできる。このようにして、使用者は、任意の絵柄や形状の溶着性ビーズ玩具の集合体を作成して楽しく遊ぶことができる。
【先行技術文献】
【特許文献】
【０００４】
【特許文献１】実用新案登録第３１３１２９２号公報
【特許文献２】特開２０１３−１４３９８６号公報
【発明の概要】
【発明が解決しようとする課題】
【０００５】
このようにして作成される溶着性ビーズ玩具の集合体は、例えばアクセサリ玩具として遊んだりすることもある。このような場合には、使用者は、ガラス製のビーズ玩具やメッキ処理が施されたビーズ玩具のように、装飾性の高いビーズ玩具を溶着性ビーズ玩具の集合体に組み込んで、より楽しく遊びたいこともある。しかしながら、ガラスやメッキ処理された樹脂等の非水溶性材料で形成されたビーズ玩具と、水溶性樹脂で形成された溶着性ビーズ玩具では、互いに溶融しないので、溶着性ビーズ玩具が乾燥しても相互に接続した状態で硬化されない。従って、非水溶性材料で形成された装飾用のビーズ玩具を溶着性ビーズ玩具の集合体に組み入れることは容易ではない。
【０００６】
本発明の目的は、水溶性樹脂で形成された溶着性ビーズ玩具と共に遊ぶことができるビーズ玩具を提供する。
【課題を解決するための手段】
【０００７】
本発明の一つの態様に係る装飾ビーズ玩具は、非水溶性材料により粒状に形成される本体部と、該本体部に設けられ、水溶性樹脂で形成された複数の溶着性ビーズ玩具が係合するための凹状係合部と、を有し、前記凹状係合部は、環状に形成される。
【０００８】
また、本発明の一つの態様に係るビーズ玩具セットは、上述の装飾ビーズ玩具と、水溶性樹脂で形成された溶着性ビーズ玩具と、前記装飾ビーズ玩具及び前記溶着性ビーズ玩具が載置される複数の凹部を備える保持トレイと、を有する。
【発明の効果】
【０００９】
上記の態様によれば、水溶性樹脂で形成された複数の溶着性ビーズ玩具と、非水溶性材料からなる装飾ビーズ玩具とを係合した状態で、溶着性ビーズ玩具を硬化させることができる。従って、ビーズ玩具の集合体に装飾ビーズ玩具を容易に組み込むことができる。このようにして、水溶性樹脂で形成された溶着性ビーズ玩具と共に遊ぶことができる装飾ビーズ玩具及びビーズ玩具セットを提供することができる。
【図面の簡単な説明】
【００１０】
【図１】本発明の実施形態に係る装飾ビーズ玩具を示す斜視図である。
【図２】本発明の実施形態に係るビーズ玩具セットの一例を示し、真球形状の溶着性ビーズ玩具と、多面体形状の溶着性ビーズ玩具と、装飾ビーズ玩具と、が保持トレイに載置される様子を示す斜視図である。
【図３】本発明の実施形態に係る装飾ビーズ玩具の両側に溶着性ビーズ玩具が載置されている様子を示す斜視図である。
【発明を実施するための形態】
【００１１】
次に、図に基づいて、本発明の実施形態を説明する。図１に示すように、装飾ビーズ玩具１０の本体部１１は、粒状に形成されている。本体部１１は、楕円Ｐにおける短軸Ｓを回転軸とする回転楕円体（詳細には偏平楕円体）を多面状にカットして形成されている。そして、凹状係合部とされる溝部１４が、本体部１１の赤道半径周りに環状に形成される。本体部１１及び溝部１４共に、四角形や三角形や台形とされる多数の面により多面状に形成されている。より詳細には、本体部１１は、同形状の多数の台形の面１１ａと、同形状の多数の三角形状の面１１ｂ，１１ｃにより表面が形成されている。溝部１４は、同形状の多数の四角形状の面１４ａ，１４ｂにより形成されている。四角形状の面１４ａ，１４ｂは、短軸Ｓ方向の辺１４ａ１，１４ｂ１が本体部１１の内径方向に向けて凸湾曲状とされている。そして、図１における溝部１４の下側の面１４ａと溝部１４の上側の面１４ｂとの接続辺１４ｃは、楕円Ｐの長軸Ｔが短軸Ｓ周りに回転する際に形成される平面上に位置している。このようにして、溝部１４は、縦断面を湾曲状の凹溝として形成されている。
【００１２】
装飾ビーズ玩具１０（本体部１１）は、非水溶性材料の樹脂により形成されている。具体的には、ＡＢＳ樹脂で形成されている。さらに、本体部１１及び溝部１４は、樹脂メッキが施されている。従って、装飾ビーズ玩具１０の表面は金色又は銀色等の色で高反射率に形成されている。
【００１３】
図２は、図１の装飾ビーズ玩具１０を有するビーズ玩具セット８０を示す。ビーズ玩具セット８０は、水溶性樹脂で形成された溶着性ビーズ玩具３０を有する。溶着性ビーズ玩具３０は、真球形状ビーズ玩具３２と、多面体形状ビーズ玩具３４とを有する。さらに、ビーズ玩具セット８０は、保持トレイ５０を有する。
【００１４】
溶着性ビーズ玩具３０（真球形状ビーズ玩具３２、多面体形状ビーズ玩具３４）は公知のものが用いられる。例えば、溶着性ビーズ玩具３０は、ポリビニルアルコールを樹脂に配合して混錬し、真球形状や多面体形状に成形したものとすることができる。
【００１５】
保持トレイ５０は、溶着性ビーズ玩具３０とともに公知の一例の保持トレイ５０である。保持トレイ５０は四角形状の板状に形成されている。保持トレイ５０の表面には複数の円形の凹部５２が設けられている。凹部５２は、異なる行（または列）毎にオフセットして配置されている。これにより、凹部５２に載置された１つの溶着性ビーズ玩具３０を中心として、放射状に６個の溶着性ビーズ玩具３０を載置することができる。また、凹部５２の直径は、溶着性ビーズ玩具３０の直径よりも小さく形成されるとともに、隣り合う凹部５２の中心間の距離は、隣り合う凹部５２に配置された溶着性ビーズ玩具３０が相互に接触して又は相互に僅かに接触しない程度に配置されるよう設定されている。なお、その他の公知の保持トレイには、丸などの形状をしたものや、凹部が上記のようにオフセットしないで並列して配置されているものがある。
【００１６】
このビーズ玩具セット８０の遊び方は以下の通りである。先ず、複数の溶着性ビーズ玩具３０（真球形状ビーズ玩具３２、多面体形状ビーズ玩具３４）及び装飾ビーズ玩具１０を任意の絵柄を呈する形状となるよう配置する。このとき、装飾ビーズ玩具１０及び溶着性ビーズ玩具３０の配置は、１つの装飾ビーズ玩具１０に対して放射状に、周囲６か所に溶着性ビーズ玩具３０が配置されると好ましい。図２の例では全体をハート形状になるよう溶着性ビーズ玩具３０及び装飾ビーズ玩具１０を配置して、ビーズ玩具の集合体４０を形成している。
【００１７】
装飾ビーズ玩具１０の周囲に溶着性ビーズ玩具３０が配置されると、溶着性ビーズ玩具３０が、凹状係合部とされる溝部１４に係合される。図３に示すように、溶着性ビーズ玩具３０は、装飾ビーズ玩具１０の溝部１４に係合している。換言すれば、溶着性ビーズ玩具３０の表面の一部は、溝部１４と接触している。
【００１８】
そして、ハート形状となるよう保持トレイ５０に配置されたビーズ玩具の集合体４０に霧吹き等で水を掛けると、溶着性ビーズ玩具３０の表面が融解し、溶着性ビーズ玩具３０同士は接続される。このとき、余分な水は、保持トレイ５０の凹部５２に落下して貯留される。そして、ビーズ玩具の集合体４０に水を掛けた後、そのまま乾燥させると、溶着性ビーズ玩具３０同士は接続された状態で硬化する。従って、保持トレイ５０に並べられたビーズ玩具の集合体４０は、ハート形状のプレート状に硬化される。
【００１９】
一方、装飾ビーズ玩具１０は、水を掛けても融解しない。従って、隣り合う溶着性ビーズ玩具３０と装飾ビーズ玩具１０は互いに接続されない。しかしながら、装飾ビーズ玩具１０の周囲の溶着性ビーズ玩具３０は接続して硬化される。そして、装飾ビーズ玩具１０の溝部１４に溶着性ビーズ玩具３０が係合している。従って、装飾ビーズ玩具１０は、周囲の複数の硬化した溶着性ビーズ玩具３０によりしっかりと保持されることとなる。
【００２０】
以上のような本発明の実施形態によれば、下記の態様の装飾ビーズ玩具及びビーズ玩具セットを提供することができる。
【００２１】
第１の態様に係る装飾ビーズ玩具は、非水溶性材料により粒状に形成される本体部と、該本体部に設けられ、水溶性樹脂で形成された複数の溶着性ビーズ玩具が係合するための凹状係合部と、を有し、前記凹状係合部は、環状に形成される。
【００２２】
この構成によれば、装飾ビーズ玩具の本体部の凹状係合部に、水溶性樹脂で形成された複数の溶着性ビーズ玩具を係合させることができる。従って、装飾ビーズ玩具の本体部の凹状係合部に溶着性ビーズ玩具を係合させたまま水を掛けて溶着性ビーズ玩具同士を接続させて硬化させることができる。すると、装飾ビーズ玩具は、溶着性ビーズ玩具の集合体に保持される。このようにして、水溶性樹脂で形成された溶着性ビーズ玩具と接続して硬化しない非水溶性材料で形成された装飾ビーズ玩具であっても、ビーズ玩具の集合体に組み入れいることができる。従って、使用者は、より装飾性の高いビーズ玩具の集合体を作成することができるので、より楽しく遊ぶことができる。
【００２４】
また、この構成によれば、装飾ビーズ玩具の周囲に溶着性ビーズ玩具を密に配置することができるので、溶着性ビーズ玩具による装飾ビーズ玩具の保持をより強固とすることができる。
【００２５】
第２の態様に係る装飾ビーズ玩具は、前記本体部及び前記凹状係合部は、多面状に形成される。
【００２６】
この構成によれば、装飾ビーズ玩具をダイヤモンドカット状等とすることができるので、より装飾性を増した装飾ビーズ玩具を提供することができる。
【００２７】
第３の態様に係る装飾ビーズ玩具は、前記本体部は非水溶性樹脂により形成され、前記本体部及び前記凹状係合部は、樹脂メッキが施されている。
【００２８】
この構成によれば、製造が比較的容易な樹脂材料を用いて樹脂メッキを施すことにより、装飾性を高めた装飾ビーズ玩具を提供することができる。
【００２９】
第４の態様に係る装飾ビーズ玩具は、前記本体部は、短軸を回転軸とする回転楕円体に形成され、前記凹状係合部は、回転楕円体に形成される前記本体部の赤道半径周りに設けられる。
【００３０】
この構成によれば、装飾ビーズ玩具を扁平楕円体とすることができる。従って、装飾ビーズ玩具の外側の表面の大きさを大きくすることができるので、ビーズ玩具の集合体に組み込んだ際に、装飾ビーズ玩具をより目立たせることができる。
【００３１】
第５の態様に係る装飾ビーズ玩具を有するビーズ玩具セットは、第１の態様乃至第４の態様の何れかの装飾ビーズ玩具と、水溶性樹脂で形成された溶着性ビーズ玩具と、前記装飾ビーズ玩具及び前記溶着性ビーズ玩具が載置される複数の凹部を備える保持トレイと、を有する。
【００３２】
この構成によれば、装飾効果を高めたビーズ玩具の集合体を、水を掛けて乾燥させるだけで作成することができるので、子供だけでも容易にビーズ玩具の集合体を作成して楽しく遊ぶことができる。
【００３３】
以上、本発明の実施形態について説明したが、本発明は上記実施形態に限定されるものではなく、その要旨を逸脱しない限りにおいて、種々の変更が可能である。
【００３４】
例えば、凹状係合部は、連続的に環状に形成されていなくてもよい。例えば、本体部１１の表面上に複数の凹状部を配置して凹状係合部としてもよい。また、複数の凸部を本体部１１の表面上に形成して、この凸部間の凹状部を凹状係合部としてもよい。また、本体部１１は、粒状であれば、他の形状とすることもできる。具体的には、星形、ドーナツ型、ひし形、三角錐等の角錐、多角柱形状、円筒形状等、各種の粒状の形状とすることができる。
【００３５】
また、溝部１４は、水溶性樹脂で形成された複数の溶着性ビーズ玩具が係合できる形態であればよく、例えば凹部や波形状等の各種の形状とすることができる。また、本体部１１は、非水溶性材料により形成されていればよく、本実施形態における樹脂（ＡＢＳ樹脂）に限られず、他の非水溶性の樹脂材料や、ガラス、セラミック、金属材料、木材等を用いることができる。また、装飾ビーズ玩具は、上述の通り樹脂メッキを施すこともできるが、この他、塗装や他の表面処理を施すこともできる。
【符号の説明】
【００３６】
１０      装飾ビーズ玩具                １１      本体部
１１ａ，１１ｂ，１１ｃ    面
１４      溝部
１４ａ，１４ｂ，１４ｃ    面
１４ａ１，１４ｂ１        辺
１４ｃ    接続辺
３０      溶着性ビーズ玩具              ３２      真球形状ビーズ玩具
３４      多面体形状ビーズ玩具          ４０      ビーズ玩具の集合体
５０      保持トレイ                    ５２      凹部
８０      ビーズ玩具セット
【要約】
【課題】水溶性樹脂で形成された溶着性ビーズ玩具と共に遊ぶことができるビーズ玩具を提供する。
【解決手段】装飾ビーズ玩具１０は、非水溶性材料により粒状に形成される本体部１１と、本体部１１に設けられ、水溶性樹脂で形成された複数の溶着性ビーズ玩具が係合するための凹状係合部とされる溝部１４と、を有する。本体部１１は、短軸を回転軸とする回転楕円体に形成され、凹状係合部である溝部１４は、回転楕円体に形成される本体部１１の赤道半径周りに設けられる。本体部１１及び溝部１４は、多面状に形成されている。
【選択図】    図１【図１】
0006047797.tif 000002
【図２】
0006047797.tif 000003
【図３】
0006047797.tif 000004